(57)【特許請求の範囲】
【請求項１】
ＣＤＭＡ方式による移動通信システムにおける基地局の、複数のアンテナ素子が配列されて成るアレイ・アンテナで受信される複数の高速伝送移動局及び低速伝送移動局それぞれの信号に対し、受信アンテナ指向性に基づく制御を行う上り回線指向性形成手段と、前記複数の高速伝送移動局及び低速伝送移動局それぞれへの送信信号に対し、送信アンテナ指向性に基づく制御を行う下り回線指向性形成手段と、を備え、前記複数の高速伝送移動局及び低速伝送移動局の総数が前記アレイ・アンテナのアンテナ素子数以上となる場合の、ＣＤＭＡ基地局アレイ・アンテナ指向性形成装置であって、前記下り回線指向性形成手段が、次の各構成を有することを特徴とするＣＤＭＡ基地局アレイ・アンテナ指向性形成装置。
（イ）前記アレイ・アンテナで受信された信号に基づいて、前記複数の高速伝送移動局それぞれからの電波の到来方向を推定し、高速伝送移動局の到来方向信号を生成する到来方向推定部
（ロ）前記複数の高速伝送移動局への下り回線信号それぞれに対し、前記到来方向推定部で生成された高速伝送移動局の到来方向信号に基づいて、その高速伝送移動局の方向にビーム方向が向き、そのビーム幅が、前記複数のアンテナ素子によるアレイ・アンテナで形成可能なヌル点を有する指向性全てのうちの最も狭いビーム幅と同等かそれより狭い狭ビームの送信アンテナ指向性で送信されるように制御する、複数の高速伝送移動局用下り回線狭ビーム指向性形成部
（ハ）前記複数の低速伝送移動局への下り回線信号それぞれに対し、前記到来方向推定部で生成された、（ロ）項と共通の高速伝送移動局の到来方向信号により複数の高速伝送移動局の方向全てでヌルとなる指向性で送信されるように制御する、複数の低速伝送移動局用下り回線ヌル型指向性形成部
【請求項２】
請求項１記載のＣＤＭＡ基地局アレイ・アンテナ指向性形成装置に加え、高速伝送移動局の数がアレイ・アンテナのアンテナ素子数以上となった場合には、これら高速伝送移動局のうちから最大で前記アンテナ素子数より１つ小さい数の高速伝送移動局を選択、設定する、高速伝送移動局選択手段を設け、複数の低速伝送移動局用下り回線ヌル型指向性形成部による指向性のヌル方向の対象となる複数の高速伝送移動局を、前記高速伝送移動局選択手段で選択、設定した数の高速伝送移動局とした、ＣＤＭＡ基地局アレイ・アンテナ指向性形成装置。
【発明の詳細な説明】
【０００１】
【発明の属する技術分野】
本発明はＣＤＭＡ基地局アレイ・アンテナ指向性形成装置に関し、特に基地局・移動局間で伝送される信号の伝送速度として、高速及び低速に大別される複数の伝送速度に対応可能な手段を備えたＣＤＭＡ基地局アレイ・アンテナ指向性形成装置に属する。
【０００２】
【従来の技術】
符号分割多元接続（ＣＤＭＡ：Code Division Multiple Access)方式による移動通信システムの、各移動局との間で信号の伝送を行うＣＤＭＡ基地局において、複数のアンテナ素子を配列したアレイ・アンテナを用い、これら複数のアンテナ素子で送受信される信号に対し、各移動局ごとに、適正な重み付けを施すことにより、その移動局の方向にビームが向けられた指向性を形成することができ、他移動局との干渉を低減することができる。例えば、各アンテナ素子について、各移動局に対する信号とその移動局に対する重み付けの積を、移動局分線形加算することにより、複数の移動局に対する指向性を同時に、独立して形成することができる。
【０００３】
ここで、ＣＤＭＡ方式の場合、複数の移動局それぞれに対する信号は、それぞれ別個の符号で変調されているので、複数のアンテナ素子で送信される信号に対し、同一符号で変調された信号どうしがその移動局の方向と直交する面で同相となるように位相制御することにより、その移動局の方向にビームを向ける指向性を形成することができる。また、ＣＤＭＡ方式では、複数の移動局の符号間に相関性が無いように選定されているので、これら複数の移動局に対する指向性を同時に、かつ独立して形成することができる。
【０００４】
以上の説明は基地局から電波を発射（送信）して移動局で受信する、下り回線に関するものであるが、移動局から発射した電波を基地局で受信する、上り回線に関しても、同一符号の信号に対し同一位相とすることにより、その移動局の方向に向いた指向性を形成することができる。
【０００５】
このように、アレイ・アンテナを利用して指向性を形成することにより、着目した送信対象の移動局以外の移動局への干渉は低減され、また、着目した受信対象の移動局以外の移動局からの干渉は低減されて、オムニセル方式や固定セクタ方式による基地局に比べて、チャネル容量を増大させることができ、また、通信品質を改善することができる、といった長所が得られる。
【０００６】
また、このような、着目した通信対象の移動局方向に向いた指向性を形成するのに加えて、着目通信対象局以外の移動局の方向に対してはヌル点が向けられるような指向性とすることができ、これにより、下り回線の場合、着目した通信対象の移動局に対しては強い信号で送信しても、他の移動局に対しては信号レベルを絞ることができるので、他の移動局に対する干渉を低減することができ、上り回線の場合には、着目した通信対象の移動局からの信号を強く受信することができ、かつ他の移動局からの信号による干渉を低減することができる。すなわち、着目した通信対象の移動局の信号Ｓと、その他の移動局の（移動局への、或は移動局からの）干渉信号Ｉとの比、ＳＩＲの改善がそれぞれの移動局に対して実現でき、前述の場合と同様に、チャネル容量の増大、通信品質の改善という長所が得られる。
【０００７】
このような、特定の方向に向く指向性を形成するだけでなく、他の方向にヌル点を持つような指向性を実現する方法としては、特定移動局からの信号をＳ、特定局以外の、複数の干渉移動局の信号の総和をΣＩとしたとき、ＳＩＲすなわちＳ／ΣＩが最大となるようなアルゴリズムにより実現することができ、その一例として、ＬＭＳ（Least Mean Square)アルゴリズムなどが知られている。
【０００８】
このようなアルゴリズムを利用することにより、まず、各移動局の上り回線の信号を利用して、その移動局に対する指向性を、この移動局の方向に向くようにすると同時に、他の移動局に対してはヌル点が向くような指向性として形成することができ、またこの移動局に対する下り回線の指向性も、上り回線の指向性をを利用して形成することができる。
【０００９】
このようなＣＤＭＡ基地局に対する、サービス対象の移動局の数は増加する傾向にあり、アレイ・アンテナの性質として、指向性に形成できるヌル点の数には上限があるために、全ての干渉移動局に対してヌル点を向けることができなくなることになる。例えば、アレイ・アンテナのアンテナ素子数をＭとすると、ヌル点が形成できる数は（Ｍ−１）であり、干渉移動局数Ｎが（Ｍ−１）より大きくなると、（Ｎ−Ｍ＋１）局にはヌル点が形成できなくなる。
【００１０】
一方、ＣＤＭＡセルラー方式を採用している基地局があり、この基地局等では、高速及び低速に大別される複数の伝送速度に対応するように構成されている。このような基地局では、伝送速度が変化しても誤り率等を含む通信品質に差異が生じないようにするために、伝送速度が変わっても、雑音及び干渉に対するデータ（信号）１ビット当りのエネルギー比を一定に保つ必要がある。このことは、伝送速度が速い移動局に対する送信電力は高く、また、その移動局からも高い電力で送信されていることを意味する。
【００１１】
このような基地局では、移動局数がアンテナ素子数より多い場合、上り回線の指向性は、着目した通信対象の移動局の方向にその指向性のビーム方向を向けると共に、大電力で送信している、他の高速伝送の移動局の方向にヌル点が向けられるように形成され、下り回線の指向性は、上り回線の指向性を基にして、これと同様に、着目した通信対象の移動局の方向にその指向性のビームが向けられ、他の高速伝送移動局方向にヌル点が向けられるように形成される。
【００１２】
このようなＣＤＭＡ基地局アレイ・アンテナ指向性形成装置の一例を図２に示す。この図２には、指向性形成に関係する、アレイ・アンテナ１（アンテナ素子１ｅ１〜１ｅＭを含む）、受信機３−１〜３−Ｍ、及び送信機１１−１〜１１−Ｍ等も表示されている。
【００１３】
この例では、まず、共通上り回線合成部４により、受信機３−１〜３−Ｍでベースバンド信号にダウンコンバートされた信号を合成して移動局選択部（図示省略）へ送り、サービスエリアからの信号を選択受信し、この移動局選択部からの選択移動局設定信号ＨＳ１〜ＨＳＪ，ＬＳ１〜ＬＳＫに従い、受信機３−１〜３−Ｍからの信号に基づいて各上り回線の指向性を形成する。
【００１４】
この上り回線の指向性を形成する部分は、選択移動局設定信号のうちの高速用の信号ＨＳ１〜ＨＳＪに従い、受信機３−１〜３−Ｍからの信号に基づいて、複数（Ｊ個、但しＪ≦Ｍ−１）の高速伝送移動局（以下、単に高速伝送局ということがある）それぞれに対し、その高速伝送移動局の方向にビーム方向が向けられ、かつ他の高速伝送移動局の方向ではヌルとなるような指向性を形成してこの指向性で受信したその高速伝送移動局の信号（ＨＵＬ１〜ＨＵＬＪ）を対応する上り回線に出力する高速伝送局用上り回線アダプティブ・アレイ部５−１〜５−Ｊと、選択移動局設定信号のうちの低速用の信号ＬＳ１〜ＬＳＫに従い、受信機３−１〜３−Ｍからの信号に基づいて、複数（Ｋ個、この例では、全移動局の数（Ｊ＋Ｋ）がアンテナ素子数Ｍ以上の場合であるので、Ｊ＋Ｋ≧Ｍ、従って、
Ｋ≧Ｍ−Ｊ）の低速伝送移動局（以下、単に低速移動局ということがある）それぞれに対し、その低速伝送移動局の方向にビーム方向が向けられ、かつ全ての高速伝送移動局方向ではヌルとなるような指向性を形成してこの指向性で受信したその低速伝送移動局の信号（ＬＵＬ１〜ＬＵＬＫ）を対応する上り回線に出力する低速伝送局用上り回線アダプティブ・アレイ部６−１〜６−Ｋと、を備えた構成となっている。
【００１５】
また、下り回線の指向性形成部分は、まず、選択移動局設定信号のうちの高速用の信号ＨＳ１〜ＨＳＪに従い、受信機３−１〜３−Ｍからの信号に基づいて、各高速伝送移動局からの電波の到来方向（到来方向信号ＨＤＲ１〜ＨＤＲＪ）を推定する到来方向推定部７−１〜７−Ｊと、各高速伝送移動局への下り回線信号ＨＤＬ１〜ＨＤＬＪそれぞれを、到来方向信号ＨＤＲ１〜ＨＤＲＪに基づいて、その高速伝送移動局の方向にビーム方向が向けられ、かつ他の高速伝送移動局全ての方向ではヌルとなるようなアンテナ指向性で送信できるように、各アンテナ素子１ｅ１〜１ｅＭに対し、分配制御する高速伝送局用下り回線指向性形成部１２−１〜１２−Ｊと、各低速伝送移動局への下り回線信号ＬＤＬ１〜ＬＤＬＫそれぞれを、到来方向信号ＨＤＲ１〜ＨＤＲＪに基づいて、その低速伝送移動局の方向にビーム方向が向けられ、かつ全高速伝送移動局の方向ではヌルとなるような指向性で送信できるように、各アンテナ素子１ｅ１〜１ｅＭに対し、分配制御する低速伝送局用下り回線指向性形成部１３−１〜１３−Ｋと、高速伝送局用下り回線指向性形成部１２−１〜１２−Ｊ及び低速伝送局用下り回線指向性形成部１３−１〜１３−Ｋの分配出力信号を、各アンテナ素子１ｅ１〜１ｅＭそれぞれへの分配出力信号単位に合成して対応する送信機（１１−１〜１１−Ｍ）へ供給する合成部１０と、を備えた構成となっている。
【００１６】
なお、各移動局（高速、低速とも）の方向に向けられたビームの幅は、ヌルの形成される位置や数等によって定まり、一様ではなく、狭い場合もあれば広い場合もある。
【００１７】
【発明が解決しようとする課題】
上述した従来のＣＤＭＡ基地局アレイ・アンテナ指向性形成装置は、高速伝送移動局及び低速伝送移動局の総数がアンテナ素子１ｅ１〜１ｅＭの数Ｍより多い場合に、上り回線では、送信電力の大きい高速伝送移動局に対しては、高速伝送局用上り回線アダプティブ・アレイ部５−１〜５−Ｊにより、その高速伝送移動局の方向にビームが向けられ、かつ他の高速伝送移動局の方向ではヌルとなるような指向性を形成し、低速伝送移動局に対しては、低速伝送局用上り回線アダプティブ・アレイ部６−１〜６−Ｋにより、その低速伝送移動局の方向にビームが向けられ、かつ全高速伝送移動局の方向ではヌルとなるような指向性を形成しているのに対し、下り回線でも同様に、高速伝送移動局に対しては、高速伝送局用下り回線指向性形成部１２−１〜１２−Ｊにより、その高速伝送移動局方向にビームが向き、他の高速伝送移動局方向ではヌルとなるような指向性を形成し、低速伝送移動局に対しては、その低速伝送移動局方向にビームが向けられ、全高速伝送移動局方向ではヌルとなるような指向性を形成する構成となっているので、下り回線における、送信電力の大きい高速伝送移動局の指向性は、そのヌル点が他の高速伝送移動局方向のみであるため、この高速伝送移動局の送信信号成分が低速伝送移動局方向には放射されることになり、これら低速伝送移動局に対し干渉電波、妨害電波となって、その通信品質が低下するという問題点がある。
【００１８】
本発明の目的は、上記従来技術の問題点に鑑みて、高速伝送移動局及び低速伝送移動局の総数がアンテナ素子数以上である場合に、高速伝送移動局の大電力送信信号による、低速伝送移動局を含む他移動局に対する干渉、妨害を低減することができてその通信品質を向上させることができるＣＤＭＡ基地局アレイ・アンテナ指向性形成装置を提供することにある。
【００１９】
【課題を解決するための手段】
本発明のＣＤＭＡ基地局アレイ・アンテナ指向性形成装置は、ＣＤＭＡ方式による移動通信システムにおける基地局の、複数のアンテナ素子が配列されて成るアレイ・アンテナで受信される複数の高速伝送移動局及び低速伝送移動局それぞれの信号に対し、受信アンテナ指向性に基づく制御を行う上り回線指向性形成手段と、前記複数の高速伝送移動局及び低速伝送移動局それぞれへの送信信号に対し、送信アンテナ指向性に基づく制御を行う下り回線指向性形成手段と、を備え、前記複数の高速伝送移動局及び低速伝送移動局の総数が前記アレイ・アンテナのアンテナ素子数以上となる場合の、ＣＤＭＡ基地局アレイ・アンテナ指向性形成装置であって、上記目的を達成するために、前記下り回線指向性形成手段が、次の各構成を有することを特徴とする。
（イ）前記アレイ・アンテナで受信された信号に基づいて、前記複数の高速伝送移動局それぞれからの電波の到来方向を推定し、高速伝送移動局の到来方向信号を生成する到来方向推定部
（ロ）前記複数の高速伝送移動局への下り回線信号それぞれに対し、前記到来方向推定部で生成された高速伝送移動局の到来方向信号に基づいて、その高速伝送移動局の方向にビーム方向が向き、そのビーム幅が、前記複数のアンテナ素子によるアレイ・アンテナで形成可能なヌル点を有する指向性全てのうちの最も狭いビーム幅と同等かそれより狭い狭ビームの送信アンテナ指向性で送信されるように制御する、複数の高速伝送移動局用下り回線狭ビーム指向性形成部
（ハ）前記複数の低速伝送移動局への下り回線信号それぞれに対し、前記到来方向推定部で生成された、（ロ）項と共通の高速伝送移動局の到来方向信号により複数の高速伝送移動局の方向全てでヌルとなる指向性で送信されるように制御する、複数の低速伝送移動局用下り回線ヌル型指向性形成部
【００２０】
また、前記ＣＤＭＡ基地局アレイ・アンテナ指向性形成装置に加え、高速伝送移動局の数がアレイ・アンテナのアンテナ素子数以上となった場合には、これら高速伝送移動局のうちから最大で前記アンテナ素子数より１つ小さい数の高速伝送移動局を選択、設定する、高速伝送移動局選択手段を設け、複数の低速伝送移動局用下り回線ヌル型指向性形成部による指向性のヌル方向の対象となる複数の高速伝送移動局を、前記高速伝送移動局選択手段で選択、設定した数の高速伝送移動局とした、構成を有している。
【００２１】
【発明の実施の形態】
本発明の一実施の形態は、複数の高速伝送移動局及び低速伝送移動局の総数がアレイ・アンテナのアンテナ素子数以上となる場合の、下り回線指向性形成手段として、アレイ・アンテナで受信された信号に基づいて、複数の高速伝送移動局それぞれからの電波の到来方向を推定する到来方向推定部と、上記複数の高速伝送移動局への下り回線信号それぞれに対し、上記到来方向推定部で推定された電波の到来方向に基づいて、その高速伝送移動局の方向にビーム方向が向き、そのビーム幅が、上記複数のアンテナ素子によるアレイ・アンテナで形成可能なヌル点を有する全ての指向性のうちの最も狭いビーム幅と同等かそれより狭い狭ビームの送信アンテナ指向性で送信されるように制御する、複数の高速伝送移動局用下り回線狭ビーム指向性形成部と、複数の低速伝送移動局への下り回線信号それぞれに対し、上記到来方向推定部で推定された複数の高速伝送移動局の方向全てでヌルとなる指向性で送信されるように制御する、複数の低速伝送移動局用下り回線ヌル型指向性形成部と、を有する構成となっている。
【００２２】
このような構成とすることにより、高速伝送移動局の大電力送信信号が狭ビーム指向性送信であるので、高速伝送移動局及び低速伝送移動局の総数がアンテナ素子数以上あって、ヌル点が向けられない低速伝送移動局をはじめ、他の高速伝送移動局に対する干渉、妨害を低減することができて、その通信品質を向上させることができ、また、狭ビームとした分、基地局からの送信パワーが変わらないものとすれば、受信レベルを上げることができて、その高速伝送移動局の通信品質を向上させることができ、受信信号レベルを同一とすれば基地局からの送信電力を減少させることができてこの結果、更に他の移動局に対する干渉、妨害を低減させることができる。また、低速伝送移動局の送信信号は、高速伝送移動局方向にヌルを向ける指向性で送信されるので、この送信信号による高速伝送局に対する干渉、妨害が減少し、通信品質の向上につながり、通信品質が一定レベルで保たればよいものとすれば、高速伝送移動局への送信電力を低減することができ、他の移動局への干渉、妨害を低減することができる。
【００２３】
このように、高速伝送移動局に対する狭ビーム指向性送信、及び低速伝送移動局に対する高速伝送局方向ヌル型指向性送信によって、大電力送信を必要とする高速伝送移動局への送信電力を減少させることができれば、他移動局への干渉、妨害を低減させるだけでよく、電力を減少させる分、通信容量の増大をはかることができる。
【００２４】
【実施例】
次に、本発明の実施例について図面を参照して説明する。
図１は本発明の一実施例を示すブロック図である。
この実施例において、アレイ・アンテナ１、空中線共用器２−１〜２−Ｍ、受信機３−１〜３−Ｍ、共通上り回線合成部４、高速伝送局用上り回線アダプティブ・アレイ部５−１〜５−Ｊ、低速伝送局用上り回線アダプティブ・アレイ部６−１〜６−Ｋ、到来方向推定部７−１〜７−Ｊ、合成部１０、及び送信機１１−１〜１１−Ｍは、図２に示されたものと同様の機能をはたし、高速伝送局用上り回線アダプティブ・アレイ部５−１〜５−Ｊ及び低速伝送局用上り回線アダプティブ・アレイ部６−１〜６−Ｋにより、上り回線指向性形成手段を構成する。
【００２５】
この実施例における下り回線指向性形成手段は、前述の到来方向推定部７−１〜７−Ｊと、複数の高速伝送移動局への下り回線信号ＨＤＬ１〜ＨＤＬＪそれぞれを、その高速伝送移動局の到来方向信号（ＨＤＲ１〜ＨＤＲＪのうちの１つ）に基づいて、その高速伝送移動局の方向にビーム方向が向き、かつそのビーム幅が、複数のアンテナ素子１ｅ１〜１ｅＭによるアレイ・アンテナ１で形成可能なヌル点を有する指向性全てのうちの最も狭いビーム幅と同等かそれより狭い狭ビームの送信アンテナ指向性で送信できるように、各アンテナ素子１ｅ１〜１ｅＭに対し分配制御する、複数の高速伝送局用下り回線狭ビーム指向性形成部８−１〜８−Ｊと、複数の低速伝送移動局への下り回線信号ＬＤＬ１〜ＬＤＬＫそれぞれを、到来方向信号ＨＤＲ１〜ＨＤＲＪに基づいて、複数の高速伝送移動局の方向全てでヌルとなるような送信アンテナ指向性で送信できるように、各アンテナ素子１ｅ１〜１ｅＭに対し分配制御する、複数の低速伝送局用下り回線ヌル型指向性形成部９−１〜９−Ｋと、複数の高速伝送局用下り回線狭ビーム指向性形成部８−１〜８−Ｊ及び低速伝送局用下り回線ヌル型指向性形成部９−１〜９−Ｋの分配出力信号を、各アンテナ素子１ｅ１〜１ｅＭそれぞれに対する分配出力信号単位に合成して対応する送信機（１１−１〜１１−Ｍ）へ供給する合成部１０と、を備えて構成される。
【００２６】
この実施例においては、大電力送信を必要とする複数の高速伝送移動局への送信信号が、高速伝送局用下り回線狭ビーム指向性形成部８−１〜８−Ｊによって狭ビームの指向性で送信されるので、高速伝送移動局及び低速伝送移動局の総数（Ｊ＋Ｋ）がアンテナ素子数Ｍ以上であっても、着目した通信対象の高速伝送移動局からの送信信号による、ヌル点が向けられない複数の低速伝送移動局をはじめ、他の高速伝送移動局に対する干渉、妨害を低減することができて、その通信品質を向上させることができ、また、基地局からの送信電力レベルが変わらないものとすれば、狭ビームとした分、受信レベルを上げることができてその高速伝送移動局の通信品質を向上させることができる。また逆に、受信レベルが変わらないようにすると、基地局からの送信電力レベルを狭ビームとした分、下げることができ、この結果、複数の低速伝送移動局及び他の高速伝送移動局への干渉、妨害を更に低減することができる。
【００２７】
また、この実施例においては、低速伝送局用下り回線ヌル型指向性形成部９−−１〜９−Ｋによって、低速伝送移動局への送信信号は、高速伝送移動局全ての方向に対してヌルが向けられた指向性で送信されるので、これら低速伝送移動局への送信信号による高速伝送移動局に対する干渉妨害を低減することができ、その通信品質の向上が期待でき、通信品質を一定レベルに保つようにすれば、その分、高速伝送移動局への送信電力レベルを低減することができて、他の移動局に対する干渉、妨害を低減することができる。
【００２８】
このように、下り回線における、高速伝送移動局への狭ビーム指向性送信、及び低速伝送移動局への高速伝送移動局方向ヌル型指向性送信による、高速伝送移動局への送信電力レベルの低減は、他の移動局に対する干渉、妨害を減少させてその通信品質を向上させることができる。更に、大電力送信が必要な高速伝送移動局への送信電力レベルの低減は、基地局におけるトータルの消費電力を低減することができ、その分、通信容量を増大させることができる。
【００２９】
なお、この実施例では、高速伝送移動局の数Ｊと、低速伝送移動局の数Ｋとの合計がアンテナ素子数Ｍ以上である場合における、高速伝送移動局の数Ｊがアンテナ素子数Ｍより少なければ、低速伝送移動局へのヌル型指向性において、全ての高速伝送移動局方向に対しヌルを向けることができるが、高速伝送移動局の数Ｊがアンテナ素子数Ｍ以上になると、指向性にヌル点が形成できる最大数は（Ｍ−１）であるので、ヌルを向けることができない高速伝送移動局も存在することになる。
【００３０】
この場合には、最大で、アンテナ素子数Ｍより１つ小さい数（Ｍ−１）の高速伝送移動局を選択、設定する、高速伝送移動局選択手段を設け、低速伝送局用下り回線ヌル型指向性形成部９−１〜９−Ｋによる各低速伝送移動局への送信アンテナ指向性の、ヌルが向けられる方向を、高速伝送移動局選択手段で選択、設定された（Ｍ−１）個の高速伝送移動局の方向とする。また、到来方向推定部７−１〜７−Ｊ及び高速伝送局用下り回線狭ビーム指向性形成部８−１〜８−Ｊにおいては、選択、設定された（Ｍ−１）個及びその他の全ての高速伝送移動局を対象とする。従って、この部分のブロック図は図１とは異なったものとなる。また、図１では従来例の図２と同様としていて、Ｊ≦（Ｍ−１）としているので、これ以外の部分も図１とは異なったものとなるが、Ｊ≧Ｍの場合については、ヌル型指向性を形成する部分（５−１〜５−Ｊ，６−１〜６−Ｋ，９−１〜９−Ｋ）に対して、選択、設定された高速伝送移動局の方向にヌルが向けられた指向性とすればよいので、図示することは省略する。
【００３１】
この場合においても、狭ビーム指向性による効果、及びヌルが向けられた移動局に対する効果は、前述の実施例と同様である。
【００３２】
【発明の効果】
以上説明したように本発明は、複数の高速伝送移動局それぞれからの電波の到来方向を推定し、これら複数の高速伝送移動局それぞれに対し、その方向にビーム方向が向き、そのビーム幅が、複数のアンテナ素子によるアレイ・アンテナで形成可能なヌル点を有する指向性全てのうちの最も狭いビーム幅と同等かそれより狭い狭ビームの送信アンテナ指向性で送信し、複数の低速伝送移動局それぞれに対しては、複数の高速伝送移動局方向全てにヌルが向けられた上記送信アンテナ指向性で送信する構成とすることにより、移動局の総数がアンテナ素子数以上になって、ヌル点が向けられない低速伝送移動局をはじめ、高速伝送移動局に対する高速伝送移動局の送信信号による干渉、妨害を低減することができて、その通信品質を向上させることができ、狭ビームとすることで、その分、受信レベルが上って通信品質が向上するか、送信電力を減少することができて更に移動局に対する干渉、妨害を低減することができるという効果があり、低速伝送移動局からの、高速伝送移動局方向にヌルが向けられたアンテナ指向性送信により、高速伝送移動局に対する干渉、妨害を減少させることができて、高速伝送移動局からの送信電力を低減することができる効果があり、これら、高速伝送移動局からの送信電力の低減により、その分、通信容量の増大をはかることができる、という効果がある。
【図面の簡単な説明】
【図１】本発明の一実施例を示すブロック図である。
【図２】従来のＣＤＭＡ基地局アレイ・アンテナ指向性形成装置の一例を示すブロック図である。
【符号の説明】
１  アレイ・アンテナ
１ｅ１〜１ｅＭ  アンテナ素子
２−１〜２−Ｍ  空中線共用器
３−１〜３−Ｍ  受信機
４  共通上り回線合成部
５−１〜５−Ｊ  高速伝送局用上り回線アダプティブ・アレイ部
６−１〜６−Ｋ  低速伝送局用上り回線アダプティブ・アレイ部
７−１〜７−Ｊ  到来方向推定部
８−１〜８−Ｊ  高速伝送局用下り回線狭ビーム指向性形成部
９−１〜９−Ｋ  低速伝送局用下り回線ヌル型指向性形成部
１０  合成部
１１−１〜１１−Ｍ  送信機
１２−１〜１２−Ｊ  高速伝送局用下り回線指向性形成部
１３−１〜１３−Ｋ  低速伝送局用下り回線指向性形成部
【図１】
0003664943.tif 000002
【図２】
0003664943.tif 000003